(57)【要約】【課題】集積回路からなるマイコンの負担を減らし、且つマイコンの実装方法がフロー半田に対応できる加熱調理器及び炊飯器を提供する。【解決手段】加熱調理器１は、加熱手段１５と、入力手段１１と、加熱手段１５に通電する電力を制御する集積回路からなる第１の制御部１２と、表示ユニット１６と、入力手段１１で入力された調理条件を、表示ユニット１６に表示させる集積回路からなる第２の制御部１３と、を有し、表示ユニット１６は、表示ユニット１６に表示される表示情報を記憶する記憶手段１６ａと、記憶手段１６ａに記憶された表示情報をデータ変換する集積回路からなる第３の制御部１６ｂと、第３の制御部１６ｂでデータ変換された表示情報を表示する表示手段１６ｃと、を有し、第１の制御部１２、第２の制御部１３及び第３の制御部１６ｂは、入出力ピンのピッチが、フロー半田に対応できる寸法である。【選択図】図２
2015000229.tif 000002
【特許請求の範囲】
【請求項１】
被調理物を加熱する加熱手段と、
前記被調理物の調理条件を入力する入力手段と、
前記入力手段で入力された調理条件に基づいて、前記加熱手段に通電する電力を制御する集積回路からなる第１の制御部と、
前記入力手段で入力された調理条件を表示する表示ユニットと、
前記第１の制御部からの指令で、前記入力手段で入力された調理条件を、前記表示ユニットに表示させる集積回路からなる第２の制御部と、を有し、
前記表示ユニットは、
前記表示ユニットに表示される表示情報を記憶する記憶手段と、
前記記憶手段に記憶された表示情報をデータ変換する集積回路からなる第３の制御部と、
前記第３の制御部でデータ変換された表示情報を表示する表示手段と、を有し、
前記第１の制御部、前記第２の制御部及び前記第３の制御部は、入出力ピンのピッチが、フロー半田に対応できる寸法である
ことを特徴とする加熱調理器。
【請求項２】
被調理物を加熱する加熱手段と、
前記被調理物の調理条件を入力する入力手段と、
前記入力手段で入力された調理条件に基づいて、前記加熱手段に通電する電力を制御する集積回路からなる第１の制御部と、
前記入力手段で入力された調理条件を表示する表示ユニットと、
前記第１の制御部からの指令で、前記入力手段で入力された調理条件を、前記表示ユニットに表示させる集積回路からなる第２の制御部と、を有し、
前記表示ユニットは、
前記表示ユニットに表示される表示情報を記憶する記憶手段と、
前記記憶手段で記憶された表示情報を表示する表示手段と、を有し、
前記第２の制御部は、
前記記憶手段に記憶された表示情報を、前記表示手段に表示できるデータに変換する集積回路からなる第３の制御部を有し、
前記第１の制御部、前記第２の制御部及び前記第３の制御部は、入出力ピンのピッチが、フロー半田に対応できる寸法である
ことを特徴とする加熱調理器。
【請求項３】
前記第３の制御部における入出力ピンのピッチが、前記第１の制御部における入出力ピン及び前記第２の制御部における入出力ピンのピッチ以下である
ことを特徴とする請求項１又は請求項２記載の加熱調理器。
【請求項４】
上面が開口した本体と、
前記本体に着脱自在に設けられ、被調理物を収容する内鍋と、
前記本体の前記開口に開閉自在に設けられ、一端が前記本体に軸支される蓋体と、
前記内鍋を加熱して、前記内鍋に収容された前記被調理物を加熱する加熱手段と、
前記被調理物の調理条件を入力する入力手段と、
前記入力手段で入力された調理条件に基づいて、前記加熱手段に通電する電力を制御する集積回路からなる第１の制御部と、
前記入力手段で入力された調理条件を表示する表示ユニットと、
前記第１の制御部からの指令で、前記入力手段で入力された調理条件を、前記表示ユニットに表示させる集積回路からなる第２の制御部と、を有し、
前記表示ユニットは、
前記表示ユニットに表示される表示情報を記憶する記憶手段と、
前記記憶手段に記憶された表示情報をデータ変換する集積回路からなる第３の制御部と、
前記第３の制御部でデータ変換された表示情報を表示する表示手段と、を有し、
前記第１の制御部、前記第２の制御部及び前記第３の制御部は、入出力ピンのピッチが、フロー半田に対応できる寸法である
ことを特徴とする炊飯器。
【請求項５】
上面が開口した本体と、
前記本体に着脱自在に設けられ、被調理物を収容する内鍋と、
前記本体の前記開口に開閉自在に設けられ、一端が前記本体に軸支される蓋体と、
前記内鍋を加熱して、前記内鍋に収容された前記被調理物を加熱する加熱手段と、
前記被調理物の調理条件を入力する入力手段と、
前記入力手段で入力された調理条件に基づいて、前記加熱手段に通電する電力を制御する集積回路からなる第１の制御部と、
前記入力手段で入力された調理条件を表示する表示ユニットと、
前記第１の制御部からの指令で、前記入力手段で入力された調理条件を、前記表示ユニットに表示させる集積回路からなる第２の制御部と、を有し、
前記表示ユニットは、
前記表示ユニットに表示される表示情報を記憶する記憶手段と、
前記記憶手段で記憶された表示情報を表示する表示手段と、を有し、
前記第２の制御部は、
前記記憶手段に記憶された表示情報を、前記表示手段に表示できるデータに変換する集積回路からなる第３の制御部を有し、
前記第１の制御部、前記第２の制御部及び前記第３の制御部は、入出力ピンのピッチが、フロー半田に対応できる寸法である
ことを特徴とする炊飯器。
【請求項６】
前記第３の制御部における入出力ピンのピッチが、前記第１の制御部における入出力ピン及び前記第２の制御部における入出力ピンのピッチ以下である
ことを特徴とする請求項４又は請求項５記載の炊飯器。
【発明の詳細な説明】
【技術分野】
【０００１】
本発明は、表示手段を有する加熱調理器及び炊飯器に関する。
【背景技術】
【０００２】
従来の炊飯器では、調理条件等が表示される表示手段として、例えばセグメント方式の液晶ディスプレイが使用されている。この炊飯器５１は、図６に示すように、マイコン５３に、入力手段５２からの入力信号が送信されると、このマイコン５３からインバータ制御部５４ａ及びヒータ制御部５４ｂ、即ち負荷出力部５４に駆動信号が送信され、これによって、加熱手段５５が駆動される。これに加え、マイコン５３には、表示手段５６を制御する表示制御部５３ａが設けられており、入力手段５２からの入力信号がマイコン５３に送信されると、マイコン５３内の表示制御部５３ａから、表示手段５６に信号が送信されて、表示手段５６に情報が表示される。
【０００３】
一方、炊飯器は、市場での多様なニーズに応えるため、その高機能（多様）化が進んでいる。そして、機能が増えることにより、表示手段に表示させる情報も増加する。従来のセグメント方式の液晶ディスプレイが用いられた炊飯器においては、多様な情報を表示させる手段として、画面サイズを大きくすること又は文字サイズを小さくすることが挙げられる。しかし、画面サイズは、炊飯器の大きさ及びデザインにより制限を受けることがあり、また、セグメントの数も、制御するマイコンのポート数で決まってしまう。また、文字サイズを小さくすると、使用者が視認し難くなり、使い勝手が悪くなる。
【０００４】
この問題を解消するため、特許文献１には、セグメント方式の液晶パネルを２枚重ねることによって、画面サイズ及び文字サイズを変更せずに、表示可能な情報量を増加させようとする加熱調理器が開示されている。この従来技術によって、上記問題はある程度解消される。しかし、液晶パネルには偏光フィルタが貼り付けられており、複数の液晶パネルを重ねる場合、これらの複数の液晶パネルの表示が相互に影響を受け難いように、偏光フィルタの光軸を調整して、液晶パネルを配置する必要がある。このため、表示手段は、複数の液晶パネルのいずれもが良好な表示となる角度、即ち有効視野角が狭くなり、良好に視認できる角度が減って、使い勝手が悪くなる。
【０００５】
これに対し、セグメント方式の液晶ディスプレイではなく、ドットマトリクス方式の液晶ディスプレイが用いられた加熱調理器が提案されている。特許文献２には、ドットマトリクス方式の液晶ディスプレイに対応可能な表示手段を備える加熱調理器が開示されている。図７に示すように、この従来技術は、図６に示す従来技術の構成に加え、マイコン５３に外付けされるか又は内部のメモリに設けられる記憶手段５７を有しており、この記憶手段５７は、表示手段５６である液晶ディスプレイに表示する表示情報を格納するものである。そして、マイコン５３に内蔵された表示制御部５３ａが、記憶手段５７に記憶された表示情報を、表示手段５６に表示できるデータに変換して、表示手段５６に送信する。
【先行技術文献】
【特許文献】
【０００６】
【特許文献１】特開２０１１−１４５０６５号公報（請求項１、図１２）
【特許文献２】特開２００２−３４９８６２号公報（第３頁、図１）
【発明の概要】
【発明が解決しようとする課題】
【０００７】
特許文献２に開示された加熱調理器において、ドットマトリクス方式の液晶ディスプレイが使用される場合、表示できる情報が増える反面、制御負荷も増大する。しかし、この特許文献２においては、図６に示す従来技術と同様に、マイコンは、入力手段によって入力される情報に基づいて、複数の負荷出力部を制御しつつ、表示手段にデータを送信しているため、マイコンの負担が大きくなる。従って、複数の処理が重なり、マイコンの処理負荷が増大すると、キー入力及び表示レスポンスが悪くなったり、負荷出力部の制御に影響を及ぼしたりする可能性もある。その結果、加熱調理器の使い勝手が悪化し、また、この加熱調理器が炊飯器である場合、自動調理時の仕上がりに悪影響を及ぼす虞がある。また、集積回路からなるマイコンは、負荷の増大に対処するため、その入出力ピンのピッチを狭くしなければならない。従って、マイコンの実装方法としては、フロー半田では対応できず、リフロー半田を行う必要がある。
【０００８】
本発明は、上記のような課題を背景としてなされたもので、集積回路からなるマイコンの負担を減らし、且つマイコンの実装方法がフロー半田に対応できる加熱調理器及び炊飯器を提供するものである。
【課題を解決するための手段】
【０００９】
本発明に係る加熱調理器は、被調理物を加熱する加熱手段と、被調理物の調理条件を入力する入力手段と、入力手段で入力された調理条件に基づいて、加熱手段に通電する電力を制御する集積回路からなる第１の制御部と、入力手段で入力された調理条件を表示する表示ユニットと、第１の制御部からの指令で、入力手段で入力された調理条件を、表示ユニットに表示させる集積回路からなる第２の制御部と、を有し、表示ユニットは、表示ユニットに表示される表示情報を記憶する記憶手段と、記憶手段に記憶された表示情報をデータ変換する集積回路からなる第３の制御部と、第３の制御部でデータ変換された表示情報を表示する表示手段と、を有し、第１の制御部、第２の制御部及び第３の制御部は、入出力ピンのピッチが、フロー半田に対応できる寸法であることを特徴とする。
【発明の効果】
【００１０】
本発明によれば、表示ユニットの制御を、加熱手段を制御する第１の制御部ではなく、別途設けられた第２の制御部が行うため、第１の制御部の負担を減らすことができる。また、第１の制御部、第２の制御部及び第３の制御部は、入出力ピンのピッチが、フロー半田に対応できる寸法であるため、これらの第１の制御部、第２の制御部及び第３の制御部の実装方法の選択の幅が広がる。
【図面の簡単な説明】
【００１１】
【図１】実施の形態１に係る炊飯器２を示す斜視図である。
【図２】実施の形態１に係る加熱調理器１を示すブロック図である。
【図３】実施の形態１における第３の制御部１６ｂを示す上面図である。
【図４】実施の形態１に係る加熱調理器１の動作を示すフローチャートである。
【図５】実施の形態２に係る加熱調理器１を示すブロック図である。
【図６】従来の加熱調理器を示すブロック図である。
【図７】従来の加熱調理器を示すブロック図である。
【発明を実施するための形態】
【００１２】
加熱調理器として、炊飯器を例にとり説明する。なお、本発明は、オーブンレンジやＩＨ調理器など、炊飯器以外の電気式加熱調理器についても適用できる。
以下、本発明に係る加熱調理器及び炊飯器の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１３】
実施の形態１．
図１は、実施の形態１に係る炊飯器２を示す斜視図である。この図１に基づいて、炊飯器２について説明する。図１に示すように、炊飯器２は、上面が開口した直方体状の本体３の内部に、有底円筒状の内鍋４が着脱自在に設けられており、この内鍋４は、被調理物を収容するものである。後述する加熱手段１５が内鍋４を加熱し、内鍋４に収容される被調理物を加熱する。そして、本体３の開口には、蓋体５が開閉自在に設けられており、この蓋体５は、その一端が本体３に軸支されている。また、本体３の側面には、蓋開閉ボタン６が設けられており、蓋体５が閉じている状態で、この蓋開閉ボタン６が押下されることによって、蓋体５が開くようになっている。また、蓋体５の内部には、円形状の内蓋７が取り付けられており、この内蓋７には、蓋センサ８及びカートリッジ９が設けられている。このうち、蓋センサ８は、内鍋４内の温度を検出するものであり、また、カートリッジ９は、被調理物の加熱時に発生する蒸気を取り込み、蒸気と、蒸気内に含まれるうまみ成分とを分離するものである。
【００１４】
次に、炊飯器２に用いられる加熱調理器１について説明する。図２は、実施の形態１に係る加熱調理器１を示すブロック図である。加熱調理器１には、入力手段１１と、第１の制御部１２と、第２の制御部１３と、負荷出力部１４と、加熱手段１５と、表示ユニット１６とを備えている。このうち、入力手段１１は、被調理物の調理条件を入力するものである。入力手段１１によって調理条件が入力されると、この調理条件に基づいて、第１の制御部１２は、負荷出力部１４に駆動信号を送信する。この負荷出力部１４は、インバータ制御部１４ａ及びヒータ制御部１４ｂを備えており、これらは、夫々インバータ及びヒータに通電する電力を制御するものである。このように、第１の制御部１２によって、負荷出力部１４に駆動信号が送信されると、加熱手段１５の駆動が開始される。また、第１の制御部１２は、入力手段１１によって調理条件が入力されると、その情報を第２の制御部１３に送信する。そして、この第１の制御部１２からの指令で、第２の制御部１３は、入力手段１１で入力された調理条件を、表示ユニット１６に表示させる。即ち、第１の制御部１２は、加熱手段１５を駆動するメインマイコンであるのに対し、第２の制御部１３は、表示ユニット１６に調理条件を表示させるサブマイコンである。
【００１５】
この表示ユニット１６は、記憶手段１６ａと、第３の制御部１６ｂと、表示手段１６ｃとを備えている。このうち、記憶手段１６ａは、表示ユニット１６に表示される表示情報を記憶するものである。この記憶手段１６ａによって記憶された表示情報は、第３の制御部１６ｂによってデータ変換され、このデータ変換された表示情報が、表示手段１６ｃによって表示される。このように、第３の制御部１６ｂは、表示手段１６ｃにデータを送信する表示制御部である。なお、表示手段１６ｃは、例えばドットマトリクス方式の液晶ディスプレイで構成される。
【００１６】
次に、第１の制御部１２、第２の制御部１３及び第３の制御部１６ｂについて、詳細に説明する。これらの第１の制御部１２、第２の制御部１３及び第３の制御部１６ｂは、いずれも集積回路からなり、複数の入出力ピンを備えている。また、このうち、第３の制御部１６ｂは、例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）とすることができる。そして、これらの第１の制御部１２、第２の制御部１３及び第３の制御部１６ｂの入出力ピンのピッチは、いずれも、その実装方法として、フロー半田に対応することができる寸法となっている。図３は、実施の形態１における第３の制御部１６ｂを示す上面図である。図３に示すように、第３の制御部１６ｂの入出力ピンのピッチｐは、例えば２．５４ｍｍである。更に、この第３の制御部１６ｂにおける入出力ピンのピッチｐは、第１の制御部１２における入出力ピン及び第２の制御部１３における入出力ピンのピッチ以下となっている。なお、フロー半田が可能な入出力ピンの最小ピッチは、０．６５ｍｍ程度である。
【００１７】
次に、本実施の形態に係る加熱調理器１の動作について説明する。図４は、実施の形態１に係る加熱調理器１の動作を示すフローチャートである。図４に示すように、入力手段１１から第１の制御部１２に入力信号が送信されたか否かが、第１の制御部１２によって確認される（ステップＳ１）。そして、第１の制御部１２によって、入力信号が確認されると（ステップＳ１のＹｅｓ）、次に、第２の制御部１３によって、表示手段１６ｃの画面表示の更新が必要であるか否かが判定される（ステップＳ２）。このステップＳ２において、入力手段１１からの入力信号に基づく表示が、表示手段１６ｃに既に表示されており、画面表示の更新が必要なければ、ステップＳ１に戻る（ステップＳ２のＮｏ）。これに対し、ステップＳ２において、画面表示の更新が必要である場合は、次のステップＳ３に進む（ステップＳ２のＹｅｓ）。
【００１８】
ステップＳ３では、第３の制御部１６ｂによって、記憶手段１６ａによって記憶された表示情報が読み出される。そして、この表示情報のデータチェックが行われる（ステップＳ４）。このデータチェックでは、読み出された表示情報、即ちデータが適切なものであるかがチェックされる。ステップＳ４において、データチェックがＮＧである場合は、ステップＳ３に戻り、再度読み出しを行うリトライ動作が行われる。その際、リトライ動作の回数が、規定回数を上回ると、異常状態であると判断され、異常報知される。一方、ステップＳ４において、データチェックがＯＫである場合は、第３の制御部１６ｂは、記憶手段１６ａによって記憶された表示情報を、表示手段１６ｃに表示することができるデータに変換及び調整する（ステップＳ５）。その後、この変換されたデータが、液晶ディスプレイ（ＬＣＤ）である表示手段１６ｃを駆動するＬＣＤドライバに出力される（ステップＳ６）。これにより、表示手段１６ｃに、表示情報が表示される。
【００１９】
一方、ステップＳ１において、第１の制御部１２によって、入力手段１１からの入力信号が確認されない場合（ステップＳ１のＮｏ）、入力手段１１以外の表示イベントの指令の有無が、第２の制御部１３によって、確認される（ステップＳ７）。この入力手段１１以外の表示イベントとしては、例えば、時計の更新、エラー報知及び炊飯完了の報知等の自動更新がある。このステップＳ７において、入力手段１１以外の表示イベントの指令がある場合（ステップＳ７のＹｅｓ）、ステップＳ２に進み、表示手段１６ｃの表示更新が必要であるか否かが判定される。これに対し、ステップＳ７において、入力手段１１以外の表示イベントの指令がない場合（ステップＳ７のＮｏ）、次のステップＳ８に進む。
【００２０】
次のステップＳ８では、表示手段１６ｃにおいて、前回の画面表示の更新作業から一定時間が経過したか否かが判定される。このステップＳ８において、更新作業時から一定時間が経過していないと判定されると、ステップＳ１に戻る（ステップＳ８のＮｏ）。一方、ステップＳ８において、更新作業時から一定時間が経過したと判定される（ステップＳ８のＹｅｓ）と、現在、表示手段１６ｃに表示されている画面情報が、第２の制御手段によって、確認される（ステップＳ９）。そして、第３の制御部１６ｂによって、記憶手段１６ａによって記憶された表示情報が読み出される（ステップＳ１０）。その後、この表示情報のデータチェックが行われる（ステップＳ１１）。このステップＳ１１において、データチェックがＮＧである場合は、ステップＳ１０に戻り、リトライ動作が行われる。このステップＳ１１においても、ステップＳ４と同様に、リトライ動作の回数が、規定回数を上回ると、異常状態であると判断され、異常報知される。一方、ステップＳ１１において、データチェックがＯＫである場合は、ステップＳ５に進み、第３の制御部１６ｂによって、記憶手段１６ａによって記憶された表示情報が、表示手段１６ｃに表示することができるデータに変換及び調整される。
【００２１】
以上説明したように、加熱調理器１及びこれを用いた炊飯器２は、入力手段１１と負荷出力部１４とが接続された第１の制御部１２と、例えばドットマトリクス方式の液晶ディスプレイである表示手段１６ｃを制御する第２の制御部１３とを備えている。このように、負荷出力部１４の制御と、表示手段１６ｃの制御とを、別個の制御部によって制御しているため、第１の制御部１２は、表示手段１６ｃの制御負荷を受けない。このため、第１の制御部１２の負担が軽くなり、入力手段１１における入力レスポンスが向上し、また、負荷出力部１４の制御を適切に行うことができる。また、機種のシリーズ展開を行う場合、第１の制御部１２に、加熱調理器１及び炊飯器２の主要な機能を割り当て、第２の制御部１３に、機種によって変化する機能を割り当てることによって、第１の制御部１２を、各機種で共通化させることができるため、その開発負荷を低減することができる。その上、多様な仕様の機種に、柔軟に対応することもでき、その汎用性は極めて高い。
【００２２】
また、従来の炊飯器において、ドットマトリクス方式の液晶ディスプレイを、１個のマイコンで制御しようとすると、負荷が増大するため、操作や表示等のレスポンスが悪化する。また、ドットマトリクス方式の液晶ディスプレイや記憶手段等の周辺回路を接続するため、マイコンの入出力ピンを増やして対応する必要がある。しかし、基板上のスペースが限られている場合、入出力ピンのピッチを狭くして対応しなければならない。これに対し、本実施の形態では、表示手段１６ｃの制御を、加熱手段１５の制御を行う第１の制御部１２ではなく、第２の制御部１３及び第３の制御部１６ｂが負担する。このため、この第１の制御部１２、第２の制御部１３及び第３の制御部１６ｂにおける入出力ピンのピッチを、従来よりも広げることができる。
【００２３】
これにより、これらの第１の制御部１２、第２の制御部１３及び第３の制御部１６ｂを実装する方法として、リフロー半田だけではなく、フロー半田を用いることができる。これらの第１の制御部１２、第２の制御部１３及び第３の制御部１６ｂといったマイコンが実装された基板には、ＩＧＢＴ（Ｉｎｓｕｌａｔｅｄ  Ｇａｔｅ  Ｂｉｐｏｌａｒ  Ｔｒａｎｓｉｓｔｏｒ）及びコンデンサ等が実装されている。しかし、これらのＩＧＢＴ及びコンデンサ等は、比較的耐熱性が低く、容量の大きなコンデンサや高電圧、大電流を扱う素子等は、リード付きタイプのものが多く使われているため、リフロー半田による実装よりもフロー半田による実装が好まれる。このため、マイコンがフロー半田に対応せず、リフロー半田で基板に実装される場合、その基板の裏面に、ＩＧＢＴ及びコンデンサ等がフロー半田で実装されて、両面実装基板となるが、この両面実装基板はコストが高い。これに対し、本実施の形態では、第１の制御部１２、第２の制御部１３及び第３の制御部１６ｂにおける入出力ピンのピッチが、フロー半田に対応することができる寸法となっている。このため、第１の制御部１２、第２の制御部１３又は第３の制御部１６ｂと、ＩＧＢＴ及びコンデンサ等とのいずれも、基板の片面に、フロー半田で実装することができる。従って、本実施の形態は、従来のような両面実装基板よりも、低コスト化を図ることができる。
【００２４】
なお、第３の制御部１６ｂにおける入出力ピンのピッチは、第１の制御部１２における入出力ピン及び第２の制御部１３における入出力ピンのピッチ以下となっている。例えば、ドットマトリクス方式の液晶ディスプレイや記憶手段等の周辺回路を接続する入出力を確保しつつ基板スペースが限られる場合、素子サイズを小さくする必要がある。この場合、ピンピッチが細かくなるが、機能を表示制御に限定することで、第３の制御部１６ｂのピンが出る方向を２面（第３の制御部１６ｂが平面視で四角形の形状の場合に、ピンの出る辺を上下の辺又は左右の辺のような対向する２辺の側面）に抑えることができる。このように、第３の制御部１６ｂの入出力ピンのピッチを細かくしても、ピンの出る方向を２面に抑え、フロー半田上に第３の制御部１６ｂを流す方向を、ピンが出る側面に沿った方向とすることで、隣接するピンに跨って半田がブリッジされて付くことが抑制され、フロー半田に対応し易くできるので、ドットマトリクス方式の液晶ディスプレイであっても、これを適切に制御することができる。また、第３の制御部１６ｂをＡＳＩＣとする場合、ＡＳＩＣは、小型及び安価で、且つ消費電力が低く、また動作速度も速い。このため、ＡＳＩＣとした第３の制御部１６ｂは、部品配置のスペースが制約された炊飯器２、省エネルギ性が要求される炊飯器２及びデザイン性が要求される炊飯器２等に対し、極めて有効に適用することができる。
【００２５】
実施の形態２．
次に、実施の形態２に係る加熱調理器１について説明する。図５は、実施の形態２に係る加熱調理器１を示すブロック図である。本実施の形態は、第３の制御部１６ｂが、第２の制御部１３に内蔵されている点で、実施の形態１と相違する。本実施の形態では、実施の形態１と共通する部分は同一の符号を付して説明を省略し、実施の形態１との相違点を中心に説明する。
【００２６】
本実施の形態では、図５に示すように、第２の制御部１３に、第３の制御部１６ｂが内蔵されている。このように、第３の制御部１６ｂを、第２の制御部１３に内蔵させる場合、第２の制御部１３のサイズは、若干大きくなる。しかし、この第２の制御部１３を、第１の制御部１２と同じ大きさのマイコンにすることによって、部品の共通化が図れる。第２の制御部１３が大きくなっても、部品の共通化が図れるため、コストの上昇は僅かである。その上、第２の制御部１３に第３の制御部１６ｂを内蔵させることによって、第３の制御部１６ｂという別個のマイコンが不要となるため、コストダウンすることができる。このように、本実施の形態は、実施の形態１で得られる効果に加え、コストを削減するという効果を奏する。
【符号の説明】
【００２７】
１  加熱調理器、２  炊飯器、３  本体、４  内鍋、５  蓋体、６  蓋開閉ボタン、７  内蓋、８  蓋センサ、９  カートリッジ、１１  入力手段、１２  第１の制御部、１３  第２の制御部、１４  負荷出力部、１４ａ  インバータ制御部、１４ｂ  ヒータ制御部、１５  加熱手段、１６  表示ユニット、１６ａ  記憶手段、１６ｂ  第３の制御部、１６ｃ  表示手段、５１  炊飯器、５２  入力手段、５３  マイコン、５３ａ  表示制御部、５４  負荷出力部、５４ａ  インバータ制御部、５４ｂ  ヒータ制御部、５５  加熱手段、５６  表示手段、５７  記憶手段。
【図１】
2015000229.tif 000003
【図２】
2015000229.tif 000004
【図３】
2015000229.tif 000005
【図４】
2015000229.tif 000006
【図５】
2015000229.tif 000007
【図６】
2015000229.tif 000008
【図７】
2015000229.tif 000009